(57)【要約】【課題】遊技中にインパクトのある演出を行うことができる遊技機を提供する。【解決手段】遊技盤上には第二電飾表示部４０が設けられる。第二電飾表示部４０は、光ファイバ４１と、閃光を発するストロボユニット４２と、拡散板４３とを有する。光ファイバ４１は、コア部４１ａとクラッド部４１ｂとの間の一部に光拡散層４１ｃを有しており、コア部４１ａとクラッド部４１ｂとの界面での全反射を利用して光を伝送すると共に光拡散層４１ｃで拡散された光の一部を側面から外部に放出する。ストロボユニット４２は、コア部４１ａ内を伝播させる光の光源であり、光ファイバ４１の一の端部に取り付けられる。拡散板４３は、光を拡散するものであり、光ファイバ４１の二つの端部のうちストロボユニット４２と反対側の端部に接合される。ストロボユニット４２による閃光の発光はサブ制御基板により制御される。【選択図】        図３
2004159951.tif 000002
【特許請求の範囲】
【請求項１】
遊技盤上に設けられた、光を伝送すると共に少なくとも一の端部から注入された光の一部を側面から外部に放出する導光管と、
前記導光管の少なくとも一の端部に取り付けられた、閃光を発する閃光発光手段と、
前記閃光発光手段による閃光の発光を制御する閃光発光制御手段と、
を備えることを特徴とする遊技機。
【請求項２】
前記導光管の一の端部には、前記閃光発光手段を取り付けると共に、前記導光管の二つの端部のうち、前記閃光発光手段が取り付けられた端部と反対側の端部には、光を拡散する拡散手段を設けたことを特徴とする請求項１記載の遊技機。
【請求項３】
前記導光管の一の端部には、前記閃光発光手段が取り付けられ、前記導光管の二つの端部のうち、前記閃光発光手段が取り付けられた端部と反対側の端部には、連続光を発する連続光発光手段が取り付けられており、且つ、前記連続光発光手段による連続光の発光を制御する連続光発光制御手段を設けたことを特徴とする請求項１記載の遊技機。
【請求項４】
前記導光管の二つの端部のうち、前記閃光発光手段が取り付けられた端部には、前記閃光発光手段と共に、連続光を発する連続光発光手段が取り付けられており、且つ、前記連続光発光手段による連続光の発光を制御する連続光発光制御手段を設けたことを特徴とする請求項１又は２記載の遊技機。
【請求項５】
前記閃光発光手段はストロボであり、前記連続光発光手段は発光ダイオードもしくはランプ、又は発光ダイオード及びランプであることを特徴とする請求項３又は４記載の遊技機。
【請求項６】
前記導光管として、コア部と前記コア部を覆うクラッド部との間の一部に光拡散層を有しており、且つ、前記コア部と前記クラッド部との界面での全反射を利用して光を伝送すると共に、前記光拡散層で拡散された光の一部を側面から外部に放出する光ファイバを用いたことを特徴とする請求項１、２、３、４又は５記載の遊技機。
【発明の詳細な説明】
【０００１】
【発明の属する技術分野】
本発明は、遊技の演出を行うための電飾表示手段を有するパチンコ機等の遊技機に関するものである。
【０００２】
【従来の技術】
通常、パチンコ機等の遊技機では、遊技盤の周囲に多数の電飾表示部が設けられている。かかる電飾表示部は遊技の演出を行うためのものであり、遊技中、さまざまな態様で光を発する。例えば、遊技状態がリーチ状態や大当り遊技状態になると、電飾表示部は点灯・消灯を派手に繰り返し、遊技のクライマックスを表現する。従来は、電飾表示部の光源としては、発光ダイオードや白熱灯が用いられていた（例えば、特許文献１参照。）。
【０００３】
【特許文献１】
特開２００１−２５９１７１号公報
【０００４】
【発明が解決しようとする課題】
しかしながら、電飾表示部の光源として発光ダイオードや白熱灯を用いたのでは、インパクトに欠け、高い演出効果が得られないという問題があった。
【０００５】
本発明は上記事情に基づいてなされたものであり、遊技中にインパクトのある演出を行うことができる遊技機を提供することを目的とするものである。
【０００６】
【課題を解決するための手段】
上記の目的を達成するための請求項１記載の発明に係る遊技機は、遊技盤上に設けられた、光を伝送すると共に少なくとも一の端部から注入された光の一部を側面から外部に放出する導光管と、前記導光管の少なくとも一の端部に取り付けられた、閃光を発する閃光発光手段と、前記閃光発光手段による閃光の発光を制御する閃光発光制御手段と、を備えることを特徴とするものである。
【０００７】
請求項２記載の発明は、請求項１記載の遊技機において、前記導光管の一の端部には、前記閃光発光手段を取り付けると共に、前記導光管の二つの端部のうち、前記閃光発光手段が取り付けられた端部と反対側の端部には、光を拡散する拡散手段を設けたことを特徴とするものである。
【０００８】
請求項３記載の発明は、請求項１記載の遊技機において、前記導光管の一の端部には、前記閃光発光手段が取り付けられ、前記導光管の二つの端部のうち、前記閃光発光手段が取り付けられた端部と反対側の端部には、連続光を発する連続光発光手段が取り付けられており、且つ、前記連続光発光手段による連続光の発光を制御する連続光発光制御手段を設けたことを特徴とするものである。
【０００９】
請求項４記載の発明は、請求項１又は２記載の遊技機において、前記導光管の二つの端部のうち、前記閃光発光手段が取り付けられた端部には、前記閃光発光手段と共に、連続光を発する連続光発光手段が取り付けられており、且つ、前記連続光発光手段による連続光の発光を制御する連続光発光制御手段を設けたことを特徴とするものである。
【００１０】
請求項５記載の発明は、請求項３又は４記載の遊技機において、前記閃光発光手段はストロボであり、前記連続光発光手段は発光ダイオードもしくはランプ、又は発光ダイオード及びランプであることを特徴とするものである。
【００１１】
請求項６記載の発明は、請求項１、２、３、４又は５記載の遊技機において、前記導光管として、コア部と前記コア部を覆うクラッド部との間の一部に光拡散層を有しており、且つ、前記コア部と前記クラッド部との界面での全反射を利用して光を伝送すると共に、前記光拡散層で拡散された光の一部を側面から外部に放出する光ファイバを用いたことを特徴とするものである。
【００１２】
【発明の実施の形態】
以下に本発明の一実施形態について図面を参照して説明する。図１は本発明の一実施形態である遊技機の遊技盤の概略正面図、図２はその遊技機の概略機能ブロック図、図３はその遊技機の第二電飾表示部の概略断面図である。ここでは、本発明の遊技機をパチンコ機に適用した場合を説明する。
【００１３】
本実施形態の遊技機は、図１及び図２に示すように、遊技盤１０と、スピーカ２０と、第一電飾表示部３０と、第二電飾表示部４０と、主制御基板５０と、サブ制御基板６０とを備える。遊技盤１０には、特別図柄表示部１１と、特別図柄始動口１２と、特別図柄始動スイッチ１３と、特別電動役物１４と、特別電動役物用ソレノイド１５と、アウト口１６とが設けられている。
【００１４】
遊技盤１０の中央部のやや上側には、特別図柄表示部１１が配設されている。この特別図柄表示部１１としては、例えば液晶ディスプレイが用いられる。特別図柄表示部１１は、三つ（左、中、右）の表示エリアを有しており、各表示エリアにおいて、数字やキャラクタによる図柄で構成される識別情報を個別に変動表示することができる。この特別図柄表示部１１の制御は主制御基板５０からのコマンドに基づきサブ制御基板６０により行われる。各表示エリアに表示される識別情報を通常、特別図柄と呼んでいる。そして、特別図柄を変動表示した後、その変動表示が停止したときに、三つの表示エリアに表示される図柄の組み合わせが特定の態様になることにより、遊技者に大当りであることが報知される。そして、遊技機は大当り遊技状態に移行する。大当りの遊技状態では、特別電動役物１４が開閉し（大当り処理）、多数の遊技球が入賞するチャンスが得られる。
【００１５】
また、三つの表示エリアにおいて特別図柄を変動表示した後、その変動表示は順次停止する。ここで、一の表示エリアにおける特別図柄を除き、二つの表示エリアにおける特別図柄の変動表示が停止した場合であって、当該一の表示エリアにおける特別図柄の変動表示が停止した際に三つの表示エリアに表示される図柄が、大当り遊技状態への移行を示す組み合わせとなる可能性がある場合に、遊技機はリーチ状態に移行する。このリーチ状態は、遊技者にとっては最も遊技の興趣を覚える瞬間である。
【００１６】
特別図柄表示部１１の下方には、特別図柄始動口１２、特別電動役物１４及びアウト口１６が配設されている。
【００１７】
特別図柄始動口１２は、特別図柄表示部１１のすぐ下側に位置している。特別図柄始動口１２の内部には特別図柄始動スイッチ１３が設けられている。この特別図柄始動スイッチ１３は、遊技球が特定のエリアを通過したこと、すなわち、この場合は特別図柄始動口１２に入ったことを検出するものである。特別図柄始動スイッチ１３からの検出信号は主制御基板５０に送られる。そして、主制御基板５０がサブ制御基板６０にコマンドを送ると、サブ制御基板６０は特別図柄表示部１１における特別図柄の変動を開始する。また、特別図柄始動口１２は入賞口の一つであり、この特別図柄始動口１２に遊技球が入ると、所定数の遊技球が払い出される。
【００１８】
特別電動役物１４は、大当りが発生したときに、所定のパターンで開閉する大入賞口である。具体的には、特別電動役物１４は、開放した後、所定数の遊技球が入賞するか、所定時間経過するかのいずれかの条件を満たすと、一旦開放動作を終了する。そして、当該入賞した遊技球が特別電動役物１４内の特定の領域を通過していたとき等の条件を満たすと、特別電動役物１４は再び開閉する。かかる開閉動作は所定回数だけ行われる。この特別電動役物１４の開閉は、主制御基板５０からの信号に基づいて特別電動役物用ソレノイド１５によって行われる。
【００１９】
遊技盤１０の最下部にはアウト口１６が設けられており、入賞しなかった遊技球はアウト口１６を介して回収される。
【００２０】
スピーカ２０は、音により遊技の演出を行うものである。主制御基板５０が遊技の進行状況に応じてサブ制御基板６０にコマンドを送ると、サブ制御基板６０はスピーカ２０を制御する。
【００２１】
第一電飾表示部３０は、遊技盤１０の周辺部に設けられている。この第一電飾表示部３０は、多数の発光ダイオードや白熱灯等からなり、主に遊技の演出を行う。主制御基板５０が遊技の進行状況に応じてサブ制御基板６０にコマンドを送ると、サブ制御基板６０は第一電飾表示部３０を制御する。
【００２２】
第二電飾表示部４０は、例えば遊技状態がリーチ状態又は大当り遊技状態になったときに、閃光を発することにより遊技の演出を行うものである。この第二電飾表示部４０は、図３に示すように、光ファイバ４１と、ストロボユニット（閃光発光手段）４２と、拡散板（拡散手段）４３とを具備する。図４は光ファイバ４１の概略断面図、図５はストロボユニットの概略斜視図である。
【００２３】
光ファイバ４１は、光を伝送すると共に少なくとも一の端部から注入された光の一部を側面から外部に放出する導光管として用いられている。図４（ａ）には光ファイバ４１をその中心軸に垂直な平面で切断したときの概略断面図を、図４（ｂ）には光ファイバ４１をその中心軸を含む平面で切断したときの概略断面図を示す。図４（ａ）に示すように、光ファイバ４１をその中心軸に垂直な平面で切断したときの断面は略円筒形状をしている。また、図３及び図４では、光ファイバ４１として直線状のものを用いた場合を示しているが、光ファイバ４１としては曲線状に加工したものを用いてもよい。この光ファイバ４１は、図４に示すように、コア部４１ａと、クラッド部４１ｂと、光拡散層４１ｃとを有する。
【００２４】
クラッド部４１ｂはコア部４１ａを覆うように形成されている。このコア部４１ａには透明樹脂が用いられ、クラッド部４１ｂにはアクリル系樹脂が用いられている。また、コア部４１ａの屈折率はクラッド部４１ｂの屈折率よりも大きい。このため、光ファイバ４１の端部から光ファイバ４１の中心軸に対して所定の角度でコア部４１ａ内に入射した光は、光拡散層４１ｃに入射しなければ、コア部４１ａとクラッド部４１ｂとの界面で全反射を繰り返しながら、コア部４１ａ内を伝わっていく。
【００２５】
また、かかる光ファイバ４１では、コア部４１ａとクラッド部４１ｂとの間の一部に光拡散層４１ｃを形成している。この光拡散層４１ｃに入射した光は、光拡散層４１ｃで反射する際にさまざまな方向に拡散される。この拡散された光はクラッド部４１ｂに入射するが、クラッド部４１ｂに入射する光のうち全反射の条件を満たす入射角度で入射するものは、コア部４１ａとクラッド部４１ｂとの界面で全反射し、コア部４１ａ内に残る。一方、そのクラッド部４１ｂに入射する光のうち全反射の条件を満たさない入射角度で入射するものは、コア部４１ａとクラッド部４１ｂとの界面で屈折した後、光ファイバ４１の側面から外部に出射する。すなわち、光ファイバ４１は線状の発光ロッドとしての役割を果たす。第二電飾表示部４０は、光ファイバ４１の側面から外部に出射する光により、遊技の演出を行う。このような光ファイバ４１としては、例えば、株式会社ブリヂストンから販売されている「レイダックロッド」を使用することができる。
【００２６】
尚、光ファイバ４１の一の端部から光をコア部４１ａ内に入射させた場合、当該端部から離れるにしたがって、コア部４１ａ内の光の光量が減り、光ファイバ４１の側面から外部に出射する光の光量も少なくなる。しかし、当該端部と反対側の端部の付近においても、遊技の演出を行うのに十分な光量の光が外部に出射する。
【００２７】
本実施形態では、かかる光ファイバ４１内に伝播させる光の光源として、図５に示すように、閃光を発するストロボユニット４２を用いる。このストロボユニット４２は、図３に示すように、光ファイバ４１の一の端部に取り付けられている。具体的には、ストロボユニット４２の閃光発光面４２ａを光ファイバ４１の一の端部に密着させた後、閃光が外部に漏れないように、ストロボユニット４２の全体を特定の部材で覆っている。
【００２８】
ストロボユニット４２は、図２に示すように、サブ制御基板６０と電源線、充電制御線、トリガ制御線を介して接続されている。サブ制御基板６０は、ストロボユニット４２に、電源線を介して電力を供給する。また、サブ制御基板６０は、ストロボユニット４２に、充電制御線を介して充電制御信号を、トリガ制御線を介してトリガ制御信号を送出し、これら二つの信号によりストロボユニット４２の動作を制御する。一般に、ストロボユニット４２は、コンデンサと、昇圧回路と、トリガ制御回路と、放電管としてのキセノン管とを有している。充電制御信号はコンデンサの充電を制御するための信号であり、ストロボユニット４２が充電制御信号を受けると、昇圧回路が発振し、コンデンサが充電される。また、トリガ制御信号は、コンデンサに蓄積された電荷によって発光を行うキセノン管の発光を制御するための信号である。すなわち、ストロボユニット４２がトリガ制御信号を受けると、トリガ制御回路が高電圧をキセノン管に印加する。これにより、キセノン管内の導通状態がオンとなり、コンデンサに蓄えられた電荷がキセノン管を介して放電する。こうして、キセノン管から閃光が発せられる。
【００２９】
拡散板４３は、光を拡散するものであり、光ファイバ４１の二つの端部のうち、ストロボユニット４２が取り付けられた端部と反対側の端部に接合されている。この拡散板４３としては、白色の板を用いることが最も適しており、例えばアルミニウム板が用いられる。拡散板４３を設けたことにより、ストロボユニット４２から発せられてコア部４１ａ内を伝播してきた光は、拡散板４３で拡散され、再びコア部４１ａ内に戻すことができる。このコア部４１ａ内に戻る光のうちの一部は、光反射層４１ｃで拡散した際に、光ファイバ４１の側面から外部に出射する。したがって、ストロボユニット４２から発せられた光を有効に利用して、より多くの光を光ファイバ４１の側面から外部に出射させることができる。
【００３０】
ストロボユニット４２から発せられる閃光は強度が大きく、遊技者に強いインパクトを与えることができる。このため、第二電飾表示部４０は、例えば、遊技機がリーチ状態や大当り遊技状態になった場合にストロボユニット４２から閃光を発生することにより、特別の演出を行う。ここで、ストロボユニット４２は、大光量の閃光を発することが可能である反面、一回の発光に多大なエネルギーを使用し、また、遊技者の目の疲労により連続発光等の演出には適さないという面を持ち合わせている。これに対して、発光ダイオードや白熱灯（ランプ）からの光には、かかるストロボユニット４２が発する閃光の欠点を補う特性を持たせることが可能である。このため、第一電飾表示部３０は、主としてパチンコ機がリーチ状態や大当り遊技状態等を除く通常の遊技状態にある場合に発光ダイオード等を点灯又は点滅することにより、通常の演出を行う。尚、第一電飾表示部３０による遊技の演出は、通常の遊技状態だけでなく、リーチ状態や大当り遊技状態のときにも行うようにしてもよい。
【００３１】
主制御基板５０とサブ制御基板６０は、遊技盤１０の裏面に取り付けられている。サブ制御基板６０は、主制御基板５０と通信ケーブル線を介して接続されている。主制御基板５０及びサブ制御基板６０にはそれぞれ、ＲＯＭ、ＲＡＭ、ＣＰＵ等が組み込まれている。
【００３２】
主制御基板５０は、主に遊技内容や遊技球の払出しの制御及び管理を行う。具体的には、主制御基板５０は、各入賞口に設けられたスイッチからの信号に基づいて入賞状況を認識し、その入賞状況に応じて、所定数の賞球の払出しを指示する賞球指示コマンドをサブ制御基板６０に出力したり、遊技の演出の内容を指示する演出指示コマンドをサブ制御基板６０に出力したりする。
【００３３】
また、主制御基板５０は、大当りの抽選処理や大当り処理を行う。具体的には、主制御基板５０は、特別図柄始動スイッチ１３からの信号を受けると、乱数抽選を行い、外れ、大当りのいずれであるかを決定する。主制御基板５０は、抽選結果に基づいて所定のコマンドをサブ制御基板６０に送る。ここで、かかるコマンドとしては、図柄の変動内容を示す変動パターンに関するコマンドが用いられる。そして、主制御基板５０は、抽選結果が大当りである場合、特別電動役物１４の開閉動作を制御する。
【００３４】
サブ制御基板６０は、主に遊技の演出に関わる機能を実現する。すなわち、サブ制御基板６０は、遊技の進行状況に応じて特別図柄表示部１１を制御すると共に、スピーカ２０、第一電飾表示部３０を制御する。また、サブ制御基板６０は、ストロボユニット４２による閃光の発光を制御する閃光発光制御手段としての役割を果たす。サブ制御基板６０は、主制御基板５０からのコマンドを受けて、所定の処理を実行する。例えば、サブ制御基板６０は、主制御基板５０から変動パターンに関するコマンドを受けた場合であって当該コマンドに大当りを示す停止図柄を表示する旨の情報が含まれている場合に、大当り遊技状態に移行した後、当該大当り遊技状態の間にストロボユニット４２による閃光の発光動作を制御する。これにより、光ファイバ４１の側面から閃光が外部に出射し、インパクトのある演出を行うことができる。
【００３５】
次に、本実施形態の遊技機において遊技状態が大当り遊技状態になった場合の各部の動作について説明する。
【００３６】
主制御基板５０は、特別図柄始動スイッチ１３からの信号を受けると、抽選を行う。そして、抽選結果が大当りである場合、当該大当りを報知するための変動パターンに関するコマンドをサブ制御基板６０に送る。サブ制御基板６０は、当該変動パターンにしたがって特別図柄を変動表示させた後、その変動表示を停止することにより大当りであることを遊技者に報知する。
【００３７】
その後、主制御基板５０とサブ制御基板６０は、所定の大当り処理を実行する。具体的には、主制御基板５０は、特別電動役物用ソレノイド１５に信号を送る。これにより、特別電動役物１４が開く。その後、主制御基板５０は、特別電動役物１４の開閉動作を制御する。一方、サブ制御基板６０は、スピーカ２０に音声データを送ると共に、第一電飾表示部３０に電飾データを送る。これにより、大当り遊技状態の間、スピーカ２０から音が発せられると共に、第一電飾表示部３０が点灯・消灯を繰り返す。また、サブ制御基板６０は、大当り遊技状態の間、充電制御信号とトリガ制御信号をそれぞれ所定のパターンで生起する。そして、これら充電制御信号とトリガ制御信号をストロボユニット４２に送る。これにより、ストロボユニット４２は、大当り遊技状態の間、例えば閃光を一定の周期で発し、かかる閃光は光ファイバ４２の側面から外部に出射する。
【００３８】
本実施形態の遊技機では、コア部とクラッド部との間の一部に光拡散層を有する光ファイバを用い、その光ファイバの一の端部にストロボユニットを取り付けたことにより、ストロボユニットからの閃光を光ファイバの側面から外部に放出することができる。ストロボユニットからの閃光は発光ダイオードや白熱灯（ランプ）による光に比べて強度が大きいので、例えば大当り遊技状態の間にストロボユニットから閃光を発することにより、遊技中にインパクトのある演出を行うことができる。また、ストロボユニットからの閃光は線状の光ファイバの側面から外部に出射するので、閃光の発光範囲を広げることができる。
【００３９】
尚、本発明は上記の実施形態に限定されるものではなく、その要旨の範囲内において種々の変形が可能である。
【００４０】
例えば、上記の実施形態では、光ファイバ内に伝播させる光の光源として、ストロボユニットだけを用いた場合について説明したが、かかる光源としては、ストロボユニットと共に、発光ダイオードや白熱灯（ランプ）等の、連続光を発する連続光発光手段を用いてもよい。図６は光ファイバ内に伝播させる光の光源としてストロボユニットと発光ダイオードとを用いた場合の第二電飾表示部を説明するための図である。図６に示す第二電飾表示部４０ａが上記の実施形態の第二電飾表示部４０と異なる点は、拡散板４３の代わりに、発光ダイオード４６を、光ファイバ４１の二つの端部のうちストロボユニット４２が取り付けられた端部と反対側の端部に設けた点である。その他の構成は、上記の実施形態における第二電飾表示部４０と同様である。また、発光ダイオード４６の点灯・消灯はサブ制御基板６０により制御される。すなわち、サブ制御基板６０は、連続光発光手段による連続光の発光を制御する連続光発光制御手段としての役割を果たす。
【００４１】
図６に示す第二電飾表示部４０ａを遊技機に用いた場合、例えば、リーチ状態や大当り遊技状態の間には、発光ダイオード４６からは光を発生させず、ストロボユニット４２から閃光を発生させる。これにより、光ファイバ４１にはストロボユニット４２からの閃光だけを伝えることができるので、インパクトのある遊技の演出を行うことができる。一方、通常の遊技状態の間には、ストロボユニット４２からは閃光を発生させず、発光ダイオード４６のみを点灯又は点滅させる。これにより、第二電飾表示部４０ａは、通常の遊技状態の間、発光ダイオードや白熱灯を用いた第一電飾表示部３０と同じように、通常の演出を行う役割を果たすことができる。このように、第二電飾表示部４０ａでは、光源としてストロボユニット４２と発光ダイオード４６とを用いたことにより、一つの光ファイバ４１を通常の演出用とインパクトのある演出用とに兼用することができる。
【００４２】
尚、図６に示す第二電飾表示部４０ａにおいて、発光ダイオード４６の代わりに、白熱灯（ランプ）、又は発光ダイオード及び白熱灯（ランプ）を用いてもよい。また、発光ダイオード４６は、光ファイバ４１の二つの端部のうち、ストロボユニット４２が取り付けられた端部に、ストロボユニット４２と共に設けるようにしてもよい。
【００４３】
また、上記の実施形態において、第二電飾表示部として、光ファイバの両端部にストロボユニットを取り付けたものを用いるようにしてもよい。
【００４４】
更に、上記の実施形態では、本発明の遊技機をパチンコ機に適用した場合について説明したが、例えば回動式遊技機に適用することもできる。
【００４５】
【発明の効果】
以上説明したように本発明に係る遊技機によれば、導光管の少なくとも一の端部に閃光発光手段を取り付けたことにより、閃光発光手段からの閃光の一部を導光管の側面から外部に放出することができる。閃光発光手段から発せられる閃光は発光ダイオードや白熱灯による光に比べて強度が大きいので、例えば大当り遊技状態の間に閃光発光手段から閃光を発することにより、遊技中にインパクトのある演出を行うことができる。
【００４６】
また、導光管の二つの端部のうち、閃光発光手段が取り付けられた端部と反対側の端部に拡散手段を設けることにより、当該拡散手段に達した光を導光管内に戻すことができるので、閃光発光手段から発せられる光を有効に利用して、より多くの光を導光管の側面から外部に放出することができる。
【００４７】
更に、導光管の一の端部に閃光発光手段を、当該端部と反対側の端部に連続光発光手段を設けることにより、又は導光管の一の端部に閃光発光手段及び連続光発光手段を設けることにより、一つの導光管を通常の演出用とインパクトのある演出用とに兼用することができる。
【図面の簡単な説明】
【図１】本発明の一実施形態である遊技機の遊技盤の概略正面図である。
【図２】その遊技機の概略機能ブロック図である。
【図３】その遊技機の第二電飾表示部の概略構成図である。
【図４】その第二電飾表示部の光ファイバの概略断面図である。
【図５】その第二電飾表示部のストロボユニットの概略斜視図を示す。
【図６】第二電飾表示部の変形例を説明するための図である。
【符号の説明】
１０    遊技盤
１１    特別図柄表示部
１２    特別図柄始動口
１３    特別図柄始動スイッチ
１４    特別電動役物
１５    特別電動役物用ソレノイド
１６    アウト口
２０    スピーカ
３０    第一電飾表示部
４０，４０ａ    第二電飾表示部
４１    光ファイバ
４１ａ    コア部
４１ｂ    クラッド部
４１ｃ    光拡散層
４２    ストロボユニット
４２ａ    閃光発光面
４３    拡散板
４６    発光ダイオード
５０    主制御基板
６０    サブ制御基板
【図１】
2004159951.tif 000003
【図２】
2004159951.tif 000004
【図３】
2004159951.tif 000005
【図４】
2004159951.tif 000006
【図５】
2004159951.tif 000007
【図６】
2004159951.tif 000008